【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
第１の透過偏光軸可変手段と、第２の透過偏光軸可変手段とを具備する表示装置であって、
前記第２の透過偏光軸可変手段の表示領域のサイズを前記第１の透過偏光軸可変手段の表示領域のサイズよりも小さくしてなり、
前記第１の透過偏光軸可変手段と前記第２の透過偏光軸可変手段の間に配設され、前記第１の透過偏光軸可変手段の表示領域よりも平面的に大きく、前記第１の透過偏光軸可変手段の表示領域、および、前記第２の透過偏光軸可変手段の表示領域に対して光照射可能な照明手段と、
前記照明手段と前記第２の透過偏光軸可変手段との間に配設された反射型偏光選択手段とを備え、
前記第２の透過偏光軸可変手段と前記照明手段との間には、遮光層が配設されており、
前記遮光層は、前記第２の透過偏光軸可変手段の表示領域が光透過領域となるような開口部を有することを特徴とする表示装置。
【請求項２】
少なくとも前記反射型偏光選択手段と前記第２の透過偏光軸可変手段との間には、所定方向の直線偏光を吸収する一方、それと交差する方向の直線偏光を透過する吸収型偏光選択手段が設けられ、
前記反射型偏光選択手段の透過偏光軸と、前記吸収型偏光選択手段の透過偏光軸とが平行になるように設定されていることを特徴とする請求項１に記載の表示装置。
【請求項３】
第１の透過偏光軸可変手段と、第２の透過偏光軸可変手段とを具備する表示装置であって、
前記第２の透過偏光軸可変手段の表示領域のサイズを前記第１の透過偏光軸可変手段の表示領域のサイズよりも小さくしてなり、
前記第１の透過偏光軸可変手段と前記第２の透過偏光軸可変手段の間に配設され、前記第１の透過偏光軸可変手段の表示領域よりも平面的に大きく、前記第１の透過偏光軸可変手段の表示領域、および、前記第２の透過偏光軸可変手段の表示領域に対して光照射可能な照明手段と、
前記照明手段と前記第１の透過偏光軸可変手段との間に配設された反射型偏光選択手段とを備え、
前記第２透過偏光軸可変手段と前記照明手段との間には、遮光層が配設されており、
前記遮光層は、前記第２の透過偏光軸可変手段の表示領域が光透過領域となるような開口部を有することを特徴とする表示装置。
【請求項４】
少なくとも前記反射型偏光選択手段と前記第１の透過偏光軸可変手段との間には、所定方向の直線偏光を吸収する一方、それと交差する方向の直線偏光を透過する吸収型偏光選択手段が設けられ、
前記反射型偏光選択手段の透過偏光軸と、前記吸収型偏光選択手段の透過偏光軸とが平行になるように設定されていることを特徴とする請求項３に記載の表示装置。
【請求項５】
第１の透過偏光軸可変手段と、第２の透過偏光軸可変手段とを具備する表示装置であって、
前記第２の透過偏光軸可変手段の表示領域のサイズを前記第１の透過偏光軸可変手段の表示領域のサイズよりも小さくしてなり、
前記第１の透過偏光軸可変手段の表示領域よりも平面的に大きく、前記第１の透過偏光軸可変手段の表示領域、および、前記第２の透過偏光軸可変手段の表示領域に対して光照射可能な照明手段と、
前記照明手段と前記第１の透過偏光軸可変手段との間に配設された第１の反射型偏光選択手段と、前記照明手段と前記第２の透過偏光軸可変手段との間に配設された第２の反射型偏光選択手段とを備え、
前記第２透過偏光軸可変手段と前記照明手段との間には、遮光層が配設されており、
前記遮光層は、前記第２の透過偏光軸可変手段の表示領域が光透過領域となるような開口部を有することを特徴とする表示装置。
【請求項６】
前記２つの反射型偏光選択手段は、所定方向の直線偏光を反射する一方、それと交差する方向の直線偏光を透過するものであって、
前記２つの反射型偏光選択手段は、それぞれ互いの反射偏光軸が交差する方向に設定されていることを特徴とする請求項５に記載の表示装置。
【請求項７】
前記第１の反射型偏光選択手段と前記第１の透過偏光軸可変手段との間には、所定方向の直線偏光を吸収する一方、それと交差する方向の直線偏光を透過する第１の吸収型偏光選択手段が設けられ、
前記第２の反射型偏光選択手段と前記第２の透過偏光軸可変手段との間には、所定方向の直線偏光を吸収する一方、それと交差する方向の直線偏光を透過する第２の吸収型偏光選択手段が設けられ、
前記第１の反射型偏光選択手段の透過偏光軸と前記第１の吸収型偏光選択手段の透過偏光軸とが平行になるように、前記第２の反射型偏光選択手段の透過偏光軸と前記第２の吸収型偏光選択手段の透過偏光軸とが平行になるように、それぞれ設定されていることを特徴とする請求項６に記載の表示装置。
【請求項８】
一方側に第１表示領域を有する第１液晶パネルと、前記第１表示領域よりも小さい第２表示領域を有し、前記第２表示領域が他方側となるように前記第１液晶パネルに重ねられる第２液晶パネルとを備え、前記第１表示領域と前記第２表示領域とによる両面表示が可能な表示装置であって、
前記第１液晶パネルと第２液晶パネルとの間に配置され、前記第１表示領域よりも平面的に大きく、少なくとも前記第１表示領域を含む面、および前記第２表示領域を含む面を照明する照明装置と、
前記照明装置と前記第２液晶パネルとの間に配設された反射偏光板と、
前記反射偏光板と前記第２液晶パネルとの間に配設された遮光層と、を備え、
前記遮光層は、前記第２表示領域が光透過領域となるような開口部を有することを特徴とする表示装置。
【請求項９】
少なくとも前記反射偏光板と、前記第２液晶パネルとの間には、所定方向の直線偏光を吸収する一方、それと交差する方向の直線偏光を透過する吸収型偏光板が設けられ、
前記反射偏光板の透過偏光軸と、前記吸収型偏光板の透過偏光軸とが平行になるように設定されていることを特徴とする請求項８に記載の表示装置。
【請求項１０】
一方側に第１表示領域を有する第１液晶パネルと、前記第１表示領域よりも小さい第２表示領域を有し、前記第２表示領域が他方側となるように前記第１液晶パネルに重ねられる第２液晶パネルとを備え、前記第１表示領域と前記第２表示領域とによる両面表示が可能な表示装置であって、
前記第１液晶パネルと第２液晶パネルとの間に配置され、前記第１表示領域よりも平面的に大きく、少なくとも前記第１表示領域を含む面、および前記第２表示領域を含む面を照明する照明装置と、
前記照明装置と前記第１液晶パネルとの間に配設された反射偏光板と、
前記照明装置と前記第２液晶パネルとの間に配設された遮光層と、を備え、
前記遮光層は、前記第２表示領域が光透過領域となるような開口部を有することを特徴とする表示装置。
【請求項１１】
少なくとも前記反射偏光板と、前記第１液晶パネルとの間には、所定方向の直線偏光を吸収する一方、それと交差する方向の直線偏光を透過する吸収型偏光板が設けられ、
前記反射偏光板の透過偏光軸と、前記吸収型偏光板の透過偏光軸とが平行になるように設定されていることを特徴とする請求項１０に記載の表示装置。
【請求項１２】
一方側に第１表示領域を有する第１液晶パネルと、前記第１表示領域よりも小さい第２表示領域を有し、前記第２表示領域が他方側となるように前記第１液晶パネルに重ねられる第２液晶パネルとを備え、前記第１表示領域と前記第２表示領域とによる両面表示が可能な表示装置であって、
前記第１液晶パネルと第２液晶パネルとの間に配置され、前記第１表示領域よりも平面的に大きく、少なくとも前記第１表示領域を含む面、および前記第２表示領域を含む面を照明する照明装置と、
前記照明装置と前記第１液晶パネルとの間に配置された第１反射偏光板と、
前記照明装置と前記第２液晶パネルとの間に配置された第２反射偏光板と、
前記第２反射偏光板と前記第２液晶パネルとの間に配設された遮光層と、を備え、
前記遮光層は、前記第２表示領域が光透過領域となるような開口部を有することを特徴とする表示装置。
【請求項１３】
前記第１反射偏光板と、前記第２反射偏光板とは、それぞれが所定方向の直線偏光を反射する一方、それと交差する方向の直線偏光を透過するものであって、それぞれの反射偏光軸が交差するように配置されていることを特徴とする請求項１２に記載の表示装置。
【請求項１４】
前記第１反射偏光板と、前記第１液晶パネルとの間には、所定方向の直線偏光を吸収する一方、それと交差する方向の直線偏光を透過する第１吸収型偏光板が設けられ、
前記第２反射偏光板と、前記第２液晶パネルとの間には、所定方向の直線偏光を吸収する一方、それと交差する方向の直線偏光を透過する第２吸収型偏光板が設けられ、
前記第１反射偏光板の透過偏光軸と前記第１吸収型偏光板の透過偏光軸とが平行になるように、前記第２反射偏光板の透過偏光軸と前記第２吸収型偏光板の透過偏光軸とが平行になるように、それぞれ設定されていることを特徴とする請求項１３に記載の表示装置。
【請求項１５】
前記表示装置の側断面において、前記遮光層は、前記開口部の両側に配置されていることを特徴とする請求項１〜１４のいずれか一項に記載の表示装置。
【請求項１６】
前記照明装置は、光源と、
前記光源からの光を導く導光板と、を備え、
前記導光板の複屈折量が略０であることを特徴とする請求項１〜１５のいずれか一項に記載の表示装置。
【請求項１７】
前記照明装置は、前記第１液晶パネル側の面と、前記第２液晶パネルの面とのそれぞれの面から光を発する両面発光光源である有機ＥＬ光源であることを特徴とする請求項１〜１６のいずれか一項に記載の表示装置。
【請求項１８】
請求項１〜１７のいずれか一項に記載の表示装置からなる表示体部と、
前記表示体部と対となる本体部と、を備えることを特徴とする電子機器としての折り畳み式の携帯電話。
【請求項１９】
請求項１〜１７のいずれか一項に記載の表示装置を備えたことを特徴とする電子機器。
【手続補正２】
【補正対象書類名】明細書
【補正対象項目名】０００６
【補正方法】変更
【補正の内容】
【０００６】
上記の目的を達成するために、本発明の表示装置は、第１の透過偏光軸可変手段と、第２の透過偏光軸可変手段とを具備する表示装置であって、第２の透過偏光軸可変手段の表示領域のサイズを第１の透過偏光軸可変手段の表示領域のサイズよりも小さくしてなり、第１の透過偏光軸可変手段と第２の透過偏光軸可変手段の間に配設され、第１の透過偏光軸可変手段の表示領域よりも平面的に大きく、第１の透過偏光軸可変手段の表示領域、および、第２の透過偏光軸可変手段の表示領域に対して光照射可能な照明手段と、照明手段と第２の透過偏光軸可変手段との間に配設された反射型偏光選択手段とを備え、第２の透過偏光軸可変手段と照明手段との間には、遮光層が配設されており、遮光層は、第２の透過偏光軸可変手段の表示領域が光透過領域となるような開口部を有することを特徴とする。
また、少なくとも反射型偏光選択手段と第２の透過偏光軸可変手段との間には、所定方向の直線偏光を吸収する一方、それと交差する方向の直線偏光を透過する吸収型偏光選択手段が設けられ、反射型偏光選択手段の透過偏光軸と、吸収型偏光選択手段の透過偏光軸とが平行になるように設定されていることが好ましい。
また、第１の透過偏光軸可変手段と、第２の透過偏光軸可変手段とを具備する表示装置であって、第２の透過偏光軸可変手段の表示領域のサイズを第１の透過偏光軸可変手段の表示領域のサイズよりも小さくしてなり、第１の透過偏光軸可変手段と第２の透過偏光軸可変手段の間に配設され、第１の透過偏光軸可変手段の表示領域よりも平面的に大きく、第１の透過偏光軸可変手段の表示領域、および、第２の透過偏光軸可変手段の表示領域に対して光照射可能な照明手段と、照明手段と第１の透過偏光軸可変手段との間に配設された反射型偏光選択手段とを備え、第２透過偏光軸可変手段と照明手段との間には、遮光層が配設されており、遮光層は、第２の透過偏光軸可変手段の表示領域が光透過領域となるような開口部を有することを特徴とする。
また、少なくとも反射型偏光選択手段と第１の透過偏光軸可変手段との間には、所定方向の直線偏光を吸収する一方、それと交差する方向の直線偏光を透過する吸収型偏光選択手段が設けられ、反射型偏光選択手段の透過偏光軸と、吸収型偏光選択手段の透過偏光軸とが平行になるように設定されていることが好ましい。
また、第１の透過偏光軸可変手段と、第２の透過偏光軸可変手段とを具備する表示装置であって、第２の透過偏光軸可変手段の表示領域のサイズを第１の透過偏光軸可変手段の表示領域のサイズよりも小さくしてなり、第１の透過偏光軸可変手段の表示領域よりも平面的に大きく、第１の透過偏光軸可変手段の表示領域、および、第２の透過偏光軸可変手段の表示領域に対して光照射可能な照明手段と、照明手段と第１の透過偏光軸可変手段との間に配設された第１の反射型偏光選択手段と、照明手段と第２の透過偏光軸可変手段との間に配設された第２の反射型偏光選択手段とを備え、第２透過偏光軸可変手段と照明手段との間には、遮光層が配設されており、遮光層は、第２の透過偏光軸可変手段の表示領域が光透過領域となるような開口部を有することを特徴とする。
また、２つの反射型偏光選択手段は、所定方向の直線偏光を反射する一方、それと交差する方向の直線偏光を透過するものであって、２つの反射型偏光選択手段は、それぞれ互いの反射偏光軸が交差する方向に設定されていることが好ましい。
また、第１の反射型偏光選択手段と第１の透過偏光軸可変手段との間には、所定方向の直線偏光を吸収する一方、それと交差する方向の直線偏光を透過する第１の吸収型偏光選択手段が設けられ、第２の反射型偏光選択手段と第２の透過偏光軸可変手段との間には、所定方向の直線偏光を吸収する一方、それと交差する方向の直線偏光を透過する第２の吸収型偏光選択手段が設けられ、第１の反射型偏光選択手段の透過偏光軸と第１の吸収型偏光選択手段の透過偏光軸とが平行になるように、第２の反射型偏光選択手段の透過偏光軸と第２の吸収型偏光選択手段の透過偏光軸とが平行になるように、それぞれ設定されていることが好ましい。
また、一方側に第１表示領域を有する第１液晶パネルと、第１表示領域よりも小さい第２表示領域を有し、第２表示領域が他方側となるように第１液晶パネルに重ねられる第２液晶パネルとを備え、第１表示領域と第２表示領域とによる両面表示が可能な表示装置であって、第１液晶パネルと第２液晶パネルとの間に配置され、第１表示領域よりも平面的に大きく、少なくとも第１表示領域を含む面、および第２表示領域を含む面を照明する照明装置と、照明装置と第２液晶パネルとの間に配設された反射偏光板と、反射偏光板と第２液晶パネルとの間に配設された遮光層と、を備え、遮光層は、第２表示領域が光透過領域となるような開口部を有することを特徴とする。
また、少なくとも反射偏光板と、第２液晶パネルとの間には、所定方向の直線偏光を吸収する一方、それと交差する方向の直線偏光を透過する吸収型偏光板が設けられ、反射偏光板の透過偏光軸と、吸収型偏光板の透過偏光軸とが平行になるように設定されていることが好ましい。
また、一方側に第１表示領域を有する第１液晶パネルと、第１表示領域よりも小さい第２表示領域を有し、第２表示領域が他方側となるように第１液晶パネルに重ねられる第２液晶パネルとを備え、第１表示領域と第２表示領域とによる両面表示が可能な表示装置であって、第１液晶パネルと第２液晶パネルとの間に配置され、第１表示領域よりも平面的に大きく、少なくとも第１表示領域を含む面、および第２表示領域を含む面を照明する照明装置と、照明装置と第１液晶パネルとの間に配設された反射偏光板と、照明装置と第２液晶パネルとの間に配設された遮光層と、を備え、遮光層は、第２表示領域が光透過領域となるような開口部を有することを特徴とする。
また、少なくとも反射偏光板と、第１液晶パネルとの間には、所定方向の直線偏光を吸収する一方、それと交差する方向の直線偏光を透過する吸収型偏光板が設けられ、反射偏光板の透過偏光軸と、吸収型偏光板の透過偏光軸とが平行になるように設定されていることが好ましい。
また、一方側に第１表示領域を有する第１液晶パネルと、第１表示領域よりも小さい第２表示領域を有し、第２表示領域が他方側となるように第１液晶パネルに重ねられる第２液晶パネルとを備え、第１表示領域と第２表示領域とによる両面表示が可能な表示装置であって、第１液晶パネルと第２液晶パネルとの間に配置され、第１表示領域よりも平面的に大きく、少なくとも第１表示領域を含む面、および第２表示領域を含む面を照明する照明装置と、照明装置と第１液晶パネルとの間に配置された第１反射偏光板と、照明装置と第２液晶パネルとの間に配置された第２反射偏光板と、第２反射偏光板と第２液晶パネルとの間に配設された遮光層と、を備え、遮光層は、第２表示領域が光透過領域となるような開口部を有することを特徴とする。
また、第１反射偏光板と、第２反射偏光板とは、それぞれが所定方向の直線偏光を反射する一方、それと交差する方向の直線偏光を透過するものであって、それぞれの反射偏光軸が交差するように配置されていることが好ましい。
また、第１反射偏光板と、第１液晶パネルとの間には、所定方向の直線偏光を吸収する一方、それと交差する方向の直線偏光を透過する第１吸収型偏光板が設けられ、第２反射偏光板と、第２液晶パネルとの間には、所定方向の直線偏光を吸収する一方、それと交差する方向の直線偏光を透過する第２吸収型偏光板が設けられ、第１反射偏光板の透過偏光軸と第１吸収型偏光板の透過偏光軸とが平行になるように、第２反射偏光板の透過偏光軸と第２吸収型偏光板の透過偏光軸とが平行になるように、それぞれ設定されていることが好ましい。
また、表示装置の側断面において、遮光層は、開口部の両側に配置されていることが好ましい。
また、照明装置は、光源と、光源からの光を導く導光板と、を備え、導光板の複屈折量が略０であることが好ましい。
また、照明装置は、第１液晶パネル側の面と、第２液晶パネルの面とのそれぞれの面から光を発する両面発光光源である有機ＥＬ光源であることが好ましい。
また、本発明の電子機器としての折り畳み式の携帯電話は、前記記載の表示装置からなる表示体部と、表示体部と対となる本体部と、を備えることを特徴とする。
また、本発明の電子機器は、前記記載の表示装置を備えたことを特徴とする。